(57)【要約】【課題】  特殊な構造の保護部材と、該保護部材と被覆紙とで、簡単に胡蝶蘭の花が散らない包装ができる胡蝶蘭の包装方法および包装具を開発・提供することにある。【解決手段】  適宜な長さと幅とを有するシート状の保護部材（１）を設け、該保護部材（１）に取り付けた固定手段（２）を用いて、胡蝶蘭の枝（Ａ）または／及び支柱（Ｂ）に縛り、保護部材（１）に胡蝶蘭を固定することを特徴とする胡蝶蘭の包装方法から構成され、また、適宜な長さと幅とを有する保護部材（１）を設け、該保護部材（１）には固定手段（２）を設けると共に、該保護部材（１）の一部に、被覆紙（３）の一部を固定したことを特徴とする胡蝶蘭の包装具から構成される。【選択図】        図１
2006008210.tif 000002
【特許請求の範囲】
【請求項１】
適宜な長さと幅とを有するシート状の保護部材（１）を設け、該保護部材（１）に取り付けた固定手段（２）を用いて、胡蝶蘭の枝（Ａ）または／及び支柱（Ｂ）に縛り、保護部材（１）に胡蝶蘭を固定することを特徴とする胡蝶蘭の包装方法。
【請求項２】
適宜な長さと幅とを有する保護部材（１）を設け、該保護部材（１）に設けた固定手段（２）を用いて、胡蝶蘭の枝（Ａ）または／及び支柱（Ｂ）に固定し、これらを、被覆紙（３）で覆うことを特徴とする胡蝶蘭の包装方法。
【請求項３】
固定手段（２）が、合成樹脂テープに挟持された可撓性を有する線材であることを特徴とする請求項１または２記載の胡蝶蘭の包装方法。
【請求項４】
固定手段（２）が、保護部材（１）と一体に形成された係止片であって、膨出した頭部と頭部の幅より狭い幅の胴体とからなり、保護部材（１）の長手方向と直交方向に、打ち抜いて形成した係止片であることを特徴とする請求項１または２記載の胡蝶蘭の包装方法。
【請求項５】
被覆紙（３）が、保護部材（１）の一部と連結していることを特徴とする請求項１または３記載の胡蝶蘭の包装方法。
【請求項６】
適宜な長さと幅とを有する保護部材（１）を設け、該保護部材（１）には固定手段（２）を設けると共に、該保護部材（１）の一部に、被覆紙（３）の一部を固定したことを特徴とする胡蝶蘭の包装具。
【発明の詳細な説明】
【技術分野】
【０００１】
この発明は、胡蝶蘭の包装方法および包装具に関するものである。
【背景技術】
【０００２】
従来より、胡蝶蘭は、南アジアを中心に、台湾からオーストラリアまで分布し、ジャングルの、川や海岸に近い樹に着生して育つ蘭であり、蘭のなかでも、大変美麗な花であり、また、高価な花であり、お祝いごとによく利用されている。
【０００３】
通常、この胡蝶蘭は、出荷する際には、鉢に植えられた状態であり、花を揺らせることにより、せっかくの花が落下してしまい、その価値も落ちるため、搬送に際しては、十分に、その包装に注意する必要がある。
【０００４】
そのため、薄い和紙やセロファンなどでを用い、胡蝶蘭の花の部分が揺れないように、覆って包装しているが、その包装作業の加減等は、極めて煩雑であり、大変、熟練を要するものであった。
【０００５】
しかしながら、近年は、なかなか熟練者が見当たらず、素人の作業員や従業員であっても、簡単に包装できる包装具の出現が望まれている。また、胡蝶蘭の栽培方法（例えば、特許文献１のように）は開示されていても、胡蝶蘭を包装する文献は見当たらない。
【特許文献１】特開平１０−１１７６１６号公報
【発明の開示】
【発明が解決しようとする課題】
【０００６】
そこでこの発明は、特殊な構造の保護部材と、該保護部材と被覆紙を一体に、または、該保護部材と被覆紙をそれぞれ別個とで、簡単に胡蝶蘭の花が散らない包装ができる胡蝶蘭の包装方法および包装具を開発・提供することにある。
【課題を解決するための手段】
【０００７】
この発明は、固定手段を有する保護部材、あるいは、保護部材と被覆紙との組み合わせにより、先ず、保護部材で花の下に位置する枝や支柱に固定しておき、次に、被覆紙で花と保護部材と一体に被覆するか、あるいは、保護部材に装着した被覆紙で、花の部分を覆い、包装することのできる胡蝶蘭の包装方法および包装具である。
【発明の効果】
【０００８】
この発明によると、胡蝶蘭の枝部（Ａ）および支柱（Ｂ）を、保護部材（１）の固定手段（２）によって、保護部材に固定するため、胡蝶蘭の支柱および枝部が固定され、胡蝶蘭の花（Ｃ）が揺れを防止できる。そして、この揺れのない胡蝶蘭の花（Ｃ）を、単独の被覆紙（３）、あるいは、保護部材（１）に接続した被覆紙により、胡蝶蘭の花（Ｃ）をくるみ、包装する際、安定した状態で包装することができる。
【発明を実施するための最良の形態】
【０００９】
この発明は、適宜な長さと幅とを有するシート状の保護部材（１）を設け、該保護部材（１）に取り付けた固定手段（２）を用いて、胡蝶蘭の枝（Ａ）または／及び支柱（Ｂ）に縛り、保護部材（１）に胡蝶蘭を固定することを特徴とする胡蝶蘭の包装方法であり、さらに、適宜な長さと幅とを有する保護部材（１）を設け、該保護部材（１）には固定手段（２）を設けると共に、該保護部材（１）の一部に、被覆紙（３）の一部を固定したことを特徴とする胡蝶蘭の包装具から構成される。
【実施例】
【００１０】
この発明の最良の一実施例を説明すると、適宜な長さと幅とを有するシート状の保護部材（１）を設け、該保護部材（１）に取り付けた固定手段（２）を用いて、胡蝶蘭の枝（Ａ）または／及び支柱（Ｂ）に縛り、保護部材（１）に胡蝶蘭を固定することを特徴とする胡蝶蘭の包装方法から構成されるものである。
【００１１】
そして、保護部材（１）は、適度な弾力性を有する素材であり、かつ、軽量な素材がよく、一実施例としては、図１（ａ）、図２（ａ）に、それぞれ示すように、縦長で、各先端の両角部がそれぞれアールにカットされた板状材であり、その素材は、例えば、紙製、合成樹脂製等である。
【００１２】
さらに、固定手段（２）の一例としては、図１に示すように、合成樹脂の帯体内に設けた可撓性を有する線材（２′）からなり、保護部材（１）の一対の穴（１ａ）から、両端が突出しており、これに胡蝶蘭の枝（Ａ）あるいは支柱（Ｂ）を挟み、これらの両端を捩じることにより、簡単に締めつけ固定できるよう構成したものである。
【００１３】
また、固定手段（２）の他の例を説明すると、図２に示すように、保護部材（１）と一体に形成された係止片（２″）であって、膨出した頭部（Ｘ）と頭部の幅より狭い幅の胴体（Ｙ）とからなり、保護部材（１）の長手方向と直交方向に、打ち抜いて形成した係止片である。
【００１４】
さらに、この発明のさらに、他の実施例を図３に基づいて説明すると、適宜な長さと幅とを有する保護部材（１）を設け、該保護部材（１）には固定手段（２）を設けると共に、該保護部材（１）の一部に、被覆紙（３）の一部を固定したことを特徴とする胡蝶蘭の包装具から構成される。
【００１５】
そして、胡蝶蘭の包装にあたっては、保護部材（１）と一部と連結している被覆紙（３）〔図３（ａ）参照）を用いる場合は、先ず、胡蝶蘭の枝（Ａ）あるいは支柱（Ｂ）を固定手段（２）で固定し、ついで、被覆紙（３）で包み込んで包装し、図３（ｂ）に示したものを用い、先ず、胡蝶蘭の枝（Ａ）あるいは支柱（Ｂ）を固定手段（２）で固定し、つぎに、従来どおり、被覆紙（３）は、包み込んで包装してもよく、てもよい。
【００１６】
また、被覆紙（３）は、和紙がよく、特に、雲龍紙か、セロファンであってもよく、その形状は、矩形であり、胡蝶蘭の大きさによって、６４ｃｍ×６４ｃｍ、７４ｃｍ×６４ｃｍ、８４ｃｍ×６４ｃｍの三種類程度がよく、もちろん、これ以外の紙質、あるいは、大きさであっても問題はない。
【産業上の利用可能性】
【００１７】
この発明は、このような胡蝶蘭の包装方法ならびに包装技術を確立することにより、また、これらを実施・販売することにより産業上の利用可能性を有する。
【図面の簡単な説明】
【００１８】
【図１】この発明に使用する保護部材の一実施例を示し、（ａ）は平面図であり、（ｂ）は一部欠截正面図であり、（ｃ）は一部欠截斜視図である。
【図２】この発明に使用する保護部材の他の実施例を示し、（ａ）は平面図であり、（ｂ）は正面図であり、（ｃ）は一部欠截斜視図である。
【図３】この発明に使用する保護部材と被覆紙との固定状態の関係を示す一実施例を示し、（ａ）は、保護部材と被覆紙が一体に固定された平面図であり、（ｂ）は、保護部材と被覆紙がそれぞれ別個に示されたの平面図である。
【図４】この発明の使用状態を示す説明図であり、（ａ）は斜視図、（ｂ）は断面図である。
【図５】この発明に使用する胡蝶蘭の説明図である。
【符号の説明】
【００１９】
１  保護部材
１ａ  穴
２  固定手段
２′  線材
２″  係止片
３  被覆紙
Ａ  胡蝶蘭の枝
Ｂ  胡蝶蘭の支柱
Ｃ  花
【図１】
2006008210.tif 000003
【図２】
2006008210.tif 000004
【図３】
2006008210.tif 000005
【図４】
2006008210.tif 000006
【図５】
2006008210.tif 000007